(57)【要約】  【課題】給水装置に関し、貯水タンクに給水された水をすばやく冷却し、冷蔵庫庫内に水滴を滴下させることなく低温に保温することを図る。  【解決手段】扉８を備えた冷蔵庫本体７の庫内側上部に、冷凍室９を形成する蒸発器１２が配置され、蒸発器１２と相対する扉８の庫内側に貯水タンク１０が配置され、貯水タンク１０に貯水された水を扉８の外部へと移動させる、一端が貯水タンク１０に接続され、他端が扉８の外部に配置されるパイプ１１とを備え、貯水タンク１０の上部の庫内側に配置される冷却装置１４と、貯水タンク１０の上部で冷却装置１４の下部に結露し滴下した結露水を受けるための水受け１５を備えたことにより、結露水の貯水タンク１０周辺への滴下を防ぎ、かつ冷却装置１４の下部に配置されている貯水タンク１０が冷却され、貯水タンク１０に給水された水をすばやく冷却し、低温に保温することができる。【選択図】図１
2007040669.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプと、前記貯水タンクの上部に配置される冷却装置を有する給水装置において、前記冷却装置に結露した水滴を蒸発器で形成された冷凍室内へ排出する水受けを備えたことを特徴とした給水装置。
【請求項２】
前記冷却装置に結露した水滴を蒸発器で形成された冷凍室の下部に配置したケースに排出する水受けを備えたことを特徴とした請求項１に記載の給水装置。
【請求項３】
前記冷却装置に結露した水滴を庫外側に排水するための専用排水装置を設けた水受けを備えたことを特徴とした請求項１に記載の給水装置。
【請求項４】
前記冷却装置に結露した水滴を、蒸発器で形成された冷凍室の冷凍室扉と一体で構成した水受けを備えたことを特徴とした請求項１から請求項３のいずれか一項に記載の給水装置。
【請求項５】
前記冷却装置に結露した水滴を、蒸発器を固定する固定枠と一体で構成した水受けを備えたことを特徴とした請求項１から請求項３のいずれか一項に記載の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図６は、特許文献１に記載された従来の給水装置を示すものである。図６に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、かつ冷蔵庫庫内に水滴を滴下させることなく、低温（約０℃）に保温することができるようにした給水装置を提供することを目的とする。
【課題を解決するための手段】
【０００８】
上記従来の課題を解決するために、本発明の給水装置は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプと、前記貯水タンクの上部に配置される冷却装置を有する給水装置において、前記冷却装置に結露した水滴を蒸発器で形成された冷凍室内へ排出する水受けを備えたものである。
【０００９】
これにより、冷却装置に結露した水滴を冷蔵庫庫内へ摘下させることなく、冷却装置により、貯水タンクを冷却することができる。
【発明の効果】
【００１０】
本発明の給水装置は、貯水タンクの上部に配置された冷却装置に結露した水滴を蒸発器で形成された冷凍室内へ排出する水受けを備えたことにより、冷蔵庫庫内へ滴下させることなく、冷却装置によって、貯水タンクの水をすばやく冷却し、低温に保温することができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプと、前記貯水タンクの上部に配置される冷却装置を有する給水装置において、前記冷却装置に結露した水滴を蒸発器で形成された冷凍室内へ排出する水受けを備えたものであり、冷却装置に結露した水滴を冷蔵庫庫内へ摘下させることなく、冷却装置により、貯水タンクの水をすばやく冷却し、低温に保温することができる。
【００１２】
請求項２に記載の発明は、請求項１に記載の発明において、前記冷却装置に結露した水滴を蒸発器で形成された冷凍室の下部に配置したケースに排出する水受けを備えたものであり、冷凍室への結露水の影響を低減することができる。
【００１３】
請求項３に記載の発明は、請求項１に記載の発明において、前記冷却装置に結露した水滴を庫外側に排水するための専用排水装置を設けた水受けを備えたものであり、冷蔵庫内への結露水の影響を低減することができる。
【００１４】
請求項４に記載の発明は、請求項１から請求項３のいずれか一項に記載の発明において、前記冷却装置に結露した水滴を、蒸発器で形成された冷凍室の冷凍室扉と一体で構成した水受けを備えたものであり、構成部品の簡素化を図ることができる。
【００１５】
請求項５に記載の発明は、請求項１から請求項３のいずれか一項に記載の発明において、前記冷却装置に結露した水滴を、蒸発器を固定する固定枠と一体で構成した水受けを備えたものであり、使い勝手を阻害することなく、構成部品の簡素化を図ることができる。
【００１６】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１７】
（実施の形態１）
図１は、本発明の実施の形態１における給水装置の断面図である。図１において、扉８を備えた冷蔵庫本体７の庫内側上部に、内側に冷凍室９を形成する蒸発器１２が配置されており、冷凍室９の下部に排水装置１３が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置される冷却装置１４と、貯水タンク１０の上部で冷却装置１４の下部に結露し滴下した結露水を受けるための水受け１５で構成されている。
【００１８】
以上のように構成された給水装置について、以下その動作、作用を説明する。まず、冷蔵庫本体７の冷却運転が始まると、蒸発器１２及び冷却装置１４が冷却される。この時、冷却装置１４に結露した水滴が水受け１５へ滴下し、滴下した結露水を冷凍室９へ導き、冷凍室９の下部に配置した排水装置１３により庫外へ排出される。よって冷蔵庫本体７の貯水タンク１０周辺への滴下を防ぎ、かつ冷却装置１４の下部に配置されている貯水タンク１０が冷却され、貯水タンク１０に給水された水をすばやく冷却し、低温に保温することができる。
【００１９】
（実施の形態２）
図２は、本発明の実施の形態２における給水装置の断面図である。図２において、扉８を備えた冷蔵庫本体７の庫内側上部に、内側に冷凍室９を形成する蒸発器１２が配置されており、冷凍室９の下部にケース１８が配置されており、ケース１８の下部に排水装置１７が配置されており、蒸発器１２と相対する扉８の庫内側に貯水タンク１０が配置されており、貯水タンク１０に貯水された水を冷蔵庫本体７の扉８の外部ヘと移動させる、一端が貯水タンク１０に接続され、他端が扉８の外部に配置されるパイプ１１とを備えており、貯水タンク１０の上部の庫内側に配置される冷却装置１４と、貯水タンク１０の上部で冷却装置１４の下部に結露し滴下した結露水を受けるための水受け１６で構成されている。
【００２０】
以上のように構成された給水装置について、以下その動作、作用を説明する。まず、冷蔵庫本体７の冷却運転が始まると、蒸発器１２及び冷却装置１４が冷却される。この時、冷却装置１４に結露した水滴が水受け１６へ滴下し、滴下した結露水を冷凍室９の下部に配置したケース１８へ導き、ケース１８の下部に配置した排水装置１７により庫外へ排出される。よって冷蔵庫本体７の庫内側への滴下を防ぎ、かつ冷却装置１４の下部に配置されている貯水タンク１０が冷却され、貯水タンク１０に給水された水をすばやく冷却し、低温に保温することができる。さらに、結露水は冷凍室９に直接入らないので、冷凍室９への結露水の影響を低減することができる。
【００２１】
（実施の形態３）
図３は、本発明の実施の形態３における給水装置の断面図である。図３において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置される冷却装置１４と、貯水タンク１０の上部で冷却装置１４の下部に結露し滴下した結露水を受けるための水受け１９と、水受け１９の結露水を庫外へ排出する専用の排水装置２０で構成されている。
【００２２】
以上のように構成された給水装置について、以下その動作、作用を説明する。まず、冷蔵庫本体７の冷却運転が始まると、蒸発器１２及び冷却装置１４が冷却される。この時、冷却装置１４に結露した水滴が水受け１９へ滴下し、滴下した水を専用の排水装置２０へ導き、排水装置２０により庫外へ排出される。よって冷蔵庫本体７の庫内側への滴下を防ぎ、かつ冷却装置１４の下部に配置されている貯水タンク１０が冷却され、貯水タンク１０に給水された水をすばやく冷却し、低温に保温することができる。さらに、結露水は冷蔵庫外に排出されるので、冷蔵庫内への結露水の影響を低減することができる。
【００２３】
（実施の形態４）
図４は、本発明の実施の形態４における給水装置の断面図である。図４において、扉８を備えた冷蔵庫本体７の庫内側上部に、内側に冷凍室９を形成する蒸発器１２が配置されており、冷凍室９の下部に排水装置１３が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置される冷却装置１４と、貯水タンク１０の上部で冷却装置１４の下部に結露し滴下した結露水を受けるため、蒸発器で形成された冷凍室９の冷凍室扉と一体で形成した水受け２１で構成されている。
【００２４】
まず、冷蔵庫本体７の冷却運転が始まると、蒸発器１２及び冷却装置１４が冷却される。この時、冷却装置１４に結露した水滴が冷凍室扉と一体で形成した水受け２１へ滴下し、滴下した水を冷凍室９へ導き、冷凍室９の下部に配置した排水装置１３により庫外へ排出される。よって冷蔵庫本体７の庫内側への滴下を防ぎ、かつ冷却装置１４の下部に配置されている貯水タンク１０が冷却され、貯水タンク１０に給水された水をすばやく冷却し、低温に保温することができる。さらに、水受け２１を蒸発器で形成された冷凍室９の冷凍室扉と一体で形成しているので、構成部品の簡素化を図ることができ、コスト低減できる。
【００２５】
（実施の形態５）
図５は、本発明の実施の形態５における給水装置の断面図である。図５において、扉８を備えた冷蔵庫本体７の庫内側上部に、内側に冷凍室９を形成する蒸発器１２が配置されており、蒸発器１２の下部に排水装置１３が配置されており、蒸発器１２と相対する扉８の庫内側に貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部の庫内側に配置される冷却装置１４と、貯水タンク１０の上部で冷却装置１４の下部に結露し滴下した結露水を受けるため、蒸発器を固定する固定枠と一体で形成した水受け２２で構成されている。
【００２６】
まず、冷蔵庫本体７の冷却運転が始まると、蒸発器１２及び冷却装置１４が冷却される。この時、冷却装置１４に結露した水滴が固定枠と一体で形成した水受け２２へ滴下し、滴下した水を冷凍室９へ導き、冷凍室９の下部に配置した排水装置１３により庫外へ排出される。よって冷蔵庫本体７の庫内側への滴下を防ぎ、かつ冷却装置１４の下部に配置されている貯水タンク１０が冷却され、貯水タンク１０に給水された水をすばやく冷却し、低温に保温することができる。さらに、水受け２２は蒸発器を固定する固定枠と一体で形成しているので、冷蔵室扉の使い勝手を阻害することなく、構成部品の簡素化を図ることができる。
【産業上の利用可能性】
【００２７】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００２８】
【図１】本発明の実施の形態１における給水装置の断面図
【図２】本発明の実施の形態２における給水装置の断面図
【図３】本発明の実施の形態３における給水装置の断面図
【図４】本発明の実施の形態４における給水装置の断面図
【図５】本発明の実施の形態５における給水装置の断面図
【図６】従来の給水装置の断面図
【符号の説明】
【００２９】
７    冷蔵庫本体
８    扉
９    冷凍室
１０  貯水タンク
１１  パイプ
１２  蒸発器
１３，１７，２０  排水装置
１４  冷却装置
１５，１６，１９，２１，２２  水受け
１８  ケース
【図１】
2007040669.tif 000003
【図２】
2007040669.tif 000004
【図３】
2007040669.tif 000005
【図４】
2007040669.tif 000006
【図５】
2007040669.tif 000007
【図６】
2007040669.tif 000008